(57)【要約】【課題】  昇降路を昇降するかごを昇降搬送以外に利用すると共に、その利用を介して人力発電電力を得るエレベーター装置を実現する。【解決手段】  かご５に人力発電機１１を設けて要時に人力駆動し、発生した電力をエレベーター装置の制御盤１９に供給しエレベーター装置の運転を制御する。  これによって、使用頻度が意外に低いエレベーター装置を昇降搬送に使用する以外に人力発電機１１を使用するスペースとして利用する。そして、建物１における居室から人力発電機１１をかご５に移動することにより、エレベーター装置の所有者における資産の利用効率を向上する。また、人力発電機１１で発生した電力をエレベーター装置の制御盤１９に供給してエレベーター装置の運転電力費を低減する。【選択図】        図１
2005075578.tif 000002
【特許請求の範囲】
【請求項１】
エレベーターのかご内に設けられて上記エレベーターの運転を制御する制御盤に接続され、発生した電力により上記制御盤を作動させる人力発電機を備えたエレベーター装置。
【請求項２】
かごを、床の下に設けられて人力発電機が収納された収納箱を有するものとしたことを特徴とする請求項１記載のエレベーター装置。
【請求項３】
人力発電機を、フィットネス機器からなるものとしたことを特徴とする請求項１及び請求項２のいずれか一つに記載のエレベーター装置。
【請求項４】
フィットネス機器を、フィットネスバイクからなるものとしたことを特徴とする請求項３記載のエレベーター装置。
【請求項５】
人力発電機によって発生した電力を蓄電して制御盤に供給する蓄電装置を備えたことを特徴とする請求項１記載のエレベーター装置。
【請求項６】
蓄電装置に接続されてエレベーターが設置された建物の電気機器に給電する中継ターミナルを備えたことを特徴とする請求項１記載のエレベーター装置。
【発明の詳細な説明】
【技術分野】
【０００１】
この発明は、主として一戸建て住宅に設置されるエレベーター装置に関する。
【背景技術】
【０００２】
従来の一戸建て住宅に設置されるエレベーター装置、すなわちホームエレベーターにおいて、ホームエレベーターのスペースを洗濯物を乾燥する乾燥室として利用するなど、昇降搬送以外に利用することが提案されている。（例えば、特許文献１参照）。
【０００３】
【特許文献１】特開平２−８６５８６号公報
【発明の開示】
【発明が解決しようとする課題】
【０００４】
従来のホームエレベーター、すなわち一戸建て住宅に設置されるエレベーター装置は使用頻度が意外に低い。このため、エレベーター装置を有効に利用するためにエレベーター装置の占有スペースを昇降搬送以外に利用することがエレベーター装置の所有者の課題である。
【０００５】
この発明は、かかる課題を解決するためになされたものであり、昇降搬送以外に利用すると共に、その利用によって発電電力を得るエレベーター装置を実現することを目的とする。
【課題を解決するための手段】
【０００６】
この発明に係るエレベーター装置においては、エレベーターのかご内に設けられてエレベーターの運転を制御する制御盤に接続され、発生した電力により制御盤を作動させる人力発電機が設けられる。
【発明の効果】
【０００７】
この発明によるエレベーター装置は、かごに人力発電機を設けて要時に人力発電機を人力駆動し、発生した電力をエレベーター装置の制御盤に供給してエレベーター装置の運転を制御する。これによって、使用頻度が意外に低いエレベーター装置のかごを昇降搬送に使用する以外に人力発電機を使用するスペースとして利用する。そして、建物における居室から人力発電機をかごに移動することによって、エレベーター装置の所有者において資産の利用効率を向上する効果がある。また、人力発電機で発生した電力をエレベーター装置の制御盤に供給して制御用電力として使用するので、エレベーター装置の運転電力費を低減する効果がある。
【発明を実施するための最良の形態】
【０００８】
実施の形態１．
図１〜図４は、この発明の実施の形態を示す図で、図１はエレベーター装置を概念的に示す縦断面図、図２は図１のＡ−Ａ線断面拡大図、図３は図２における人力発電機を使用位置に配置した状態を示す図、図４は図３の平面図である。図において、建物１に昇降路２が設けられて、また昇降路２に建物１の階床に対応した乗場３が設けられる。そして、昇降路２の底面に油圧ジャッキを要部とする油圧昇降装置４が設置される。
【０００９】
また、昇降路１を昇降するかご５が油圧昇降装置４の上端に連結される。そして、かご５には乗場３と対向する出入口６、床７、床７の下に形成された収納箱８、床７面に設けられた収納箱８の開口部９及び開口部９に着脱自在に設けられて床７面の一部を構成する蓋板１０が設けられる。また、収納箱８にフィットネス機器、例えば人力で発電機を駆動する周知のフィットネスバイクからなる人力発電機１１が収納される。
【００１０】
そして、収納箱８の底面から取付柱１２が立設されて上端に人力発電機１１の一側が枢着され、また収納箱８の底面の取付柱１２から離れた位置に支持柱１３の下端が枢着される。なお、人力発電機１１の不使用時には、図２に示すように人力発電機１１が横倒し状態に配置され、また支持柱１３は倒伏姿勢に配置される。また、収納箱８に蓄電装置１４が設けられて配線１５によって人力発電機１１に接続される。
【００１１】
また、昇降路１に中継ターミナル１６が設けられて移動ケーブル１７によって蓄電装置１４に接続され、また建物１には中継ターミナル１６に接続されたコンセント１８が設けられる。なお、蓄電装置１４には蓄電池及び目的に従って出力電圧を調整する出力電力調整装置が設けられている。
【００１２】
また、中継ターミナル１６に接続されたエレベーター装置の制御盤１９が設けられる。なお、人力発電機１１の使用時には、図３に示すように蓋板１０が撤去されて人力発電機１１が起立姿勢に配置される。また、この状態で支持柱１３も起立位置に配置されて上端によって人力発電機１１の他側を支持する。
【００１３】
上記のように構成されたエレベーター装置において、かご５の床７の下に収納箱８が設けられる。そして、エレベーター装置を通常使用、すなわち昇降搬送に使用する場合には、図２に示すように収納箱８に人力発電機１１が横倒し状態に収納されて、収納箱８の開口部９が蓋板１０によって閉塞される。また、エレベーター装置を昇降搬送以外に使用、すなわち人力発電機１１を使用するときには、人為操作によって蓋板１０が撤去されて人力発電機１１が起立姿勢に配置される。
【００１４】
次いで、支持柱１３が起立位置に配置されて上端によって人力発電機１１の他側を支持し、図３に示すように人力発電機１１が安定した使用状態に保持される。この状態で、人力発電機１１、すなわちフィットネスバイクのペダルを回転させて電力が発生し、その電力が蓄電装置１４に充電される。そして、蓄電装置１４の電力が制御盤１９に供給されてエレベーター装置の運転が制御される。また、蓄電装置１４の電力がコンセント１８を介して建物１内の適宜な電気機器に供給される。
【００１５】
このようにして、使用頻度が意外に低いエレベーター装置のかご５を昇降搬送に使用する以外にフィットネス機器、すなわち人力発電機１１を使用するスペースとして利用する。これにより、建物１における居室から人力発電機１１をかご５に移動し、エレベーター装置の所有者において資産を有効に利用することができる。また、エレベーター装置を昇降搬送に使用する場合に、人力発電機１１がかご５床７下の収納箱８に収納されて収納箱８の開口部９が蓋板１０によって閉塞されるので、かご５に正常な床７面が形成されて不都合なく容易にかご５を使用することができる。
【００１６】
さらに、かご５に設けられたフィットネス機器、すなわち人力発電機１１を容易に使用することができて、人力発電機１１によって発生した電力を蓄電装置１４を介してエレベーター装置の制御盤１９に供給したり、蓄電装置１４の電力がコンセント１８を介して建物１内の適宜な電気機器に供給したりする。これによって、エレベーター装置を含めた建物１の電力費を低減することができる。
【図面の簡単な説明】
【００１７】
【図１】この発明の実施の形態１を示す図で、エレベーター装置を概念的に示す縦断面図。
【図２】図１のＡ−Ａ線断面拡大図。
【図３】図２における人力発電機を使用位置に配置した状態を示す図。
【図４】図３の平面図。
【符号の説明】
【００１８】
１  建物、５  かご、７  床、８  収納箱、１１  人力発電機、１４  蓄電装置、１６  中継ターミナル、１９  制御盤。
【図１】
2005075578.tif 000003
【図２】
2005075578.tif 000004
【図３】
2005075578.tif 000005
【図４】
2005075578.tif 000006